(57)【要約】      （修正有）【課題】単純な構造で簡単に製造でき、枕への脱着が容易で迅速に交換可能で、かつ使用時に枕からずれ難い枕カバーを提供する。【解決手段】矩形状の布部２と、布部２の一辺の中央部に、布部２の対辺に向けて、布部２の前記一辺より狭い開口５を有し、開口５に枕１００の一部を挿入することにより枕１００を把持する枕把持部３とを備える。枕把持部３は、布部２の一部が対辺に向けて折返され、折返された布部２の一部がその両側縁の内側を両側縁に沿ってそれぞれ縫着されていることにより開口５が形成されている。【選択図】図１
0003221492.tif 000002
【実用新案登録請求の範囲】
【請求項１】
矩形状の布部と、
前記布部の一辺の中央部に、前記布部の対辺に向けて、前記布部の前記一辺より狭い開口を有し、前記開口に枕の一部を挿入することにより枕を把持する枕把持部と、
を備えることを特徴とする枕カバー。
【請求項２】
前記枕把持部は、前記布部を構成する一枚の布地から連続して形成されていること、を特徴とする請求項１記載の枕カバー。
【請求項３】
前記枕把持部は、前記布部の一部が対辺に向けて折返され、折返された前記布部の一部がその両側縁の内側を前記両側縁に沿ってそれぞれ縫着されていることにより前記開口が形成されていること、を特徴とする請求項１又は２に記載の枕カバー。
【請求項４】
前記枕把持部は、前記布部の一部が対辺に向けて折返され、折返された前記布部の一部が折返された一辺に沿って、左右に間隔を空けて縫着されていることにより前記開口が形成されていること、を特徴とする請求項１乃至３のいずれかに記載の枕カバー。
【請求項５】
前記枕把持部は、前記布部と別体の布地で形成され、前記布部上に縫着されていること、を特徴とする請求項１記載の枕カバー。
【請求項６】
前記枕把持部の奥行と前記布部の一辺に直交する辺の前記枕カバーの長さとの比が１対８乃至１対２９であること、を特徴とする請求項１乃至５のいずれかに記載の枕カバー。
【請求項７】
前記枕把持部の開口幅と前記布部の一辺の長さとの比が１対２未満であること、を特徴とする請求項１乃至６のいずれかに記載の枕カバー。
【請求項８】
前記枕把持部が形成されている布部の一辺に対する対辺を、前記布部の一辺に向けて前記布部の一部が三巻され、前記対辺に沿って縫着されている三巻ヘム部をさらに備えること、を特徴とする請求項１乃至７のいずれかに記載の枕カバー。
【考案の詳細な説明】
【技術分野】
【０００１】
本考案は、単純な構造で簡単に製造でき、枕への脱着が容易で迅速に交換可能で、かつ使用時に枕からずれ難い枕カバーに関する。
【背景技術】
【０００２】
従来、ホテルや旅館、病院等へのシーツや枕カバー等のリネン製品の貸出しから使用済みリネン製品の回収、洗濯及び再貸出しまでをリネンサプライ事業者が担当し、ホテルや旅館等におけるリネン製品の交換作業はホテル従業員が担当し、病院等におけるリネン製品の交換作業は看護師スタッフが担当してきた。
近年、大幅な外国人旅行者の誘客活動が政策的に盛んとなって宿泊者数が大幅に増加し、また高齢化社会が到来して介護が必要な入院患者が大幅に増える中、ホテル従業員はより質の高い接客業務に、看護師スタッフはより専門性の高い看護業務に専念する必要に迫られている。
このため、リネンサプライ事業者自らがホテルや旅館、病院等に従業員を派遣し、当該施設におけるリネン製品の交換作業を担う業務シフトが起こりつつある。
これら施設に派遣された従業員は、各施設内の全客室又は全病室のリネン製品を日々交換しなければならないため、交換作業を短時間で終えることを強いられている。
一般にホテルや旅館、病院等で使用されている封筒式枕カバーは、布地を縦長の袋状に形成されている。この枕カバーの装着時は、袋内に枕全体を挿入後、袋の余剰部分を枕カバーの内側の枕の下側に折り畳む。取り外し時には、枕全体を袋内から取り出すという手間が掛かる。
【０００３】
着脱が簡単に行え、装着時及び使用時にずれ難い枕カバーの構造が求められており、この要望に応える枕カバーが知られている（例えば、特許文献１、特許文献２参照）。
【０００４】
さらに着脱が容易でずれ難く、かつ枕の高さを容易に調整できる枕カバーの構造が知られている（例えば、特許文献３参照）。
【０００５】
特許文献１に記載の枕カバーは、図８に示すように、枕の幅ｗと同等サイズの幅Ｗで、枕の奥行ｄの２倍サイズの長さＬを有する方形の布部１０２と、幅Ｗの辺の一方の端に深さが枕の奥行ｄの１／２程度で他方の端に向けて開口１０５を有する袋状部１０３とで構成されるものである。枕の奥行ｄの半分程度まで枕１００を当該袋状部に挿入した後、布部２を二つ折りにすることで枕表面を覆う。
【０００６】
特許文献２に記載の枕カバーは、図９に示すように、布部１１２と、布部１１２の両端部に、互いに他方に向けて開口１１５を有する袋状部１１３とで構成されるものである。一方の袋状部１１３に枕１００の一部又は全体を挿入した後、布部１１２を巻回し、最後に他方の袋状部１１３に収納することで枕表面を覆う。
【０００７】
特許文献３に記載の枕カバーは、図１０に示すように、枕の奥行ｄを一巻き半程度、枕１００を覆う長さ１．５Ｌで、枕の幅ｗよりやや広い幅Ｗを有する布部１２２と、布部１２２の左右の両縁部に配設された目的の異なる複数の留具とで構成されるものである。枕カバー１の一端側及び枕の奥行ｄを一巻きする位置に設けられた左右の主留具１８１をそれぞれ嵌着することで枕表面を覆う。枕の奥行ｄの中央に位置する枕カバーの上下に設けられた左右の副留具１８２をそれぞれ嵌着することで枕側面を覆う。異なる位置に配設された複数の調整留具１８３のいずれか一つを嵌着することで枕の奥行ｄの前後方向に押圧する強さを変えることにより枕の高さｈを調整する。そして、布部１２２の端縁にある止着留具１８４を枕１００の底面側に巻き込んで所定箇所に嵌着することで装着作業が終了する。
【先行技術文献】
【特許文献】
【０００８】
【特許文献１】特開平１０−１７９３６２号公報
【特許文献２】実開昭５５−０２０９３６号公報
【特許文献３】特開２００６−０９４８９４号公報
【考案の概要】
【考案が解決しようとする課題】
【０００９】
しかし、特許文献１記載の枕カバーでは、枕カバー１の布部２を単純に二つ折りして枕表面を覆っているだけであるため、使用時に頭部の移動とともに皺やずれが生じやすい。また、枕の奥行ｄの半分程度が袋状部３（３６）に挿入されているだけであるため、枕側面の一部が露呈しており衛生面で清潔とはいえない。
また、特許文献２に記載の枕カバーでは、枕１００を枕カバー１の一端側に形成された袋状部３（３７）に挿入後、巻回し、最後に他端側に形成された袋状部３（３７）に収納しなければならないため、枕１００のサイズに枕カバー１のサイズを厳格に合わせる必要があるうえ、手間が掛かり、短時間で処理するためには作業に多少習熟する必要がある。
【００１０】
特許文献３に記載の枕カバーでは、枕カバーの左右の両縁部に複数の留具が配設されているため、使用時に頭部に留具が触れると不快感を生じる。また留具は、リネンサプライ事業者が、枕カバーを洗濯、乾燥、折畳み等の一連の処理を行う際に、機器の損傷や破損の原因となる。さらに一連の処理中に、留具が破損や脱落することで枕カバーの耐久性が損なわれる。
【００１１】
本考案は、このような課題を解決するためになされたものであり、単純な構造で簡単に製造でき、枕への脱着が容易で迅速に交換可能で、かつ使用時に枕からずれ難い枕カバーを提供することを目的とする。
【課題を解決するための手段】
【００１２】
請求項１に記載の枕カバーは、矩形状の布部と、前記布部の一辺の中央部に、前記布部の対辺に向けて、前記布部の前記一辺より狭い開口を有し、前記開口に枕の一部を挿入することにより枕を把持する枕把持部とを備える。
【００１３】
請求項２に記載の枕カバーは、前記枕把持部は、前記布部を構成する一枚の布地から連続して形成されていることにより、構造が簡単で製造が容易な枕カバーを提供することができる。
【００１４】
請求項３に記載の枕カバーは、前記枕把持部は、前記布部の一部が対辺に向けて折返され、折返された前記布部の一部がその両側縁の内側を前記両側縁に沿ってそれぞれ縫着されていることにより前記開口が形成されていることにより、構造がさらに簡単で、製造がより容易な枕カバーを提供することができる。
【００１５】
請求項４に記載の枕カバーは、前記布部の一部が対辺に向けて折返され、折返された前記布部の一部が折返された一辺に沿って、左右に間隔を空けて縫着されていることにより前記開口が形成されていることにより、構造が一層簡単となり、製造がより容易な枕カバーを提供することができる。
【００１６】
請求項５に記載の枕カバーは、前記布部と別体の布地で形成され、前記布部上に縫着されていることにより、布部と枕把持部のサイズ、素材、色等の選択の幅を広げることが可能となる。
【００１７】
請求項６に記載の枕カバーは、前記把持部の奥行と前記布部の一辺に直交する辺の前記枕カバーの長さとの比が１対８乃至１対２９であることにより、枕把持部の奥行が少なくて済むので、容易かつ迅速に装着できるうえ、使用する布地が少なくて済むので安価に製造することができる。
【００１８】
請求項７に記載の枕カバーは、前記把持部の開口幅と前記布部の一辺の長さとの比が１対２未満であることにより、枕側面から底面方向に折り曲げて枕側面を簡単に覆うことができ、枕使用時に枕中央部が枕周辺部より低くなるので、頭部の安定感が高まる。
【００１９】
請求項８に記載の枕カバーは、前記把持部が形成されている布部の一辺に対する対辺を、前記布部の一辺に向けて前記布部の一部が三巻され、前記対辺に沿って縫着されている三巻ヘム部をさらに備えることにより、三巻ヘム部に厚みがあるので、布部を枕に巻きつける強さを変えることが容易で、その結果、枕の高さ調節を容易に行うことができる。また、使用時には、ヘム部が枕の底面に食い込むので、枕カバーの枕への巻きつけ強さを保持し、枕カバーのずれ防止の役割を果たす。さらに、ヘム部を掴みやすく引っ張りやすいので、枕から枕カバーを外すことが容易である。
【考案の効果】
【００２０】
本考案によれば、方形又は矩形状の布部と、前記布部の一辺の中央部に、前記布部の対辺に向けて、前記布部の前記一辺より狭い開口を有し、前記開口に枕の一部を挿入することにより枕を把持する枕把持部とを備える構成により、枕把持部の開口に、枕の一部を挿入して把持したうえ、矩形状の布部を枕表面に沿って巻きつけることにより、枕表面を容易かつ迅速に覆うことができる枕カバーを提供することができる。
【図面の簡単な説明】
【００２１】
【図１】本考案の実施例１に係る枕カバーの構成例を示す図である。
【図２】本考案の実施例１に係る枕カバーの枕への装着手順例を示す図である。
【図３】本考案の実施例１に係る枕カバーによる枕の高さ調節例を示す図である。
【図４】本考案の実施例２に係る枕カバーの構成例を示す図である。
【図５】本考案の実施例３に係る枕カバーの構成例を示す図である。
【図６】本考案の実施例４に係る枕カバーの構成例を示す図である。
【図７】本考案の実施例５に係る枕カバーの構成例を示す図である。
【図８】従来の枕カバーの構成例を示す図である。
【図９】従来の枕カバーの構成例を示す図である。
【図１０】従来の枕カバーの構成例を示す図である。
【考案を実施するための形態】
【００２２】
以下、添付図面を参照しながら本考案を実施するための形態について詳細に説明する。図１から図７は、本考案の実施の形態を例示する図であり、これらの図において、同一の符号を付した部分は同一物を表し、基本的構成及び動作は同様であるものとする。
【実施例１】
【００２３】
図１は、本考案の実施例１に係る枕カバーの構成例を示す図である。
図１に示す枕カバー１は、全幅Ｗ×全長Ｌの略方形又は矩形状である。枕カバー１は、枕１００の表面をカバーとして覆う幅Ｗ×長さ概ねＬの方形又は矩形の布部２と、その周縁に形成されている枕把持部３（３１）、縫着部４（４１）、開口５、三巻ヘム部６及び耳部７とから構成される。
枕把持部３（３１）は、枕把持部３（３１）の両側縁を縫着部４（４１）で縫製することにより、枕１００の一部を挿入して把持する開口５を有し、幅Ｗ１×奥行Ｄのサイズで形成され、布部２の一辺の中央部に左右対称となるように設けられている。
三巻ヘム部６は、枕把持部３（３１）の対辺を三巻（三つ折り）し、辺に沿って縫着部４（４２）で縫着することにより形成されている。
耳部７は、枕把持部３（３１）及び三巻ヘム部６が形成されている辺と直交する左右の辺に設けられている。
【００２４】
枕カバー１のサイズは、収容する枕１００のサイズにより異なる。
枕１００のサイズは、日本では一般に、標準サイズとして奥行ｄ３５ｃｍ×幅ｗ５０ｃｍ、奥行ｄ４３ｃｍ×幅ｗ６３ｃｍ、奥行ｄ５０ｃｍ×幅ｗ７０ｃｍの３種類がある。また、枕１００の高さｈは、一般に、未使用時に８ｃｍ〜１８ｃｍである。
病院やホテルで使用される枕は、奥行ｄ４３ｃｍ×幅ｓ６３ｃｍ×高さｈ１８ｃｍが多く使われている。以下に、このサイズを基準に枕カバー１のサイズについて述べる。
【００２５】
まず枕カバー１の長さＬは、枕１００の表面を奥行き方向で一周完全に覆い、三巻ヘム部６を枕１００の底面側に折り込む長さがあることが好ましい。
これを満足するためには、少なくとも枕１００の奥行ｄの２．２倍〜２．５倍程度の長さＬが必要となる。さらに枕１００の高さｈの２倍程度の長さＬを考慮することが好ましい。
枕カバー１の長さＬ＝２．２〜２．５×枕１００の奥行ｄ［＋２×枕１００の高さｈ］
…（１）
例えば、枕１００の奥行ｄが４３ｃｍの場合、枕カバー１の長さＬは９５ｃｍ〜１０８ｃｍ程度必要である。さらに枕１００の高さｈ１８ｃｍを考慮して、枕カバー１の長さＬは１３１ｃｍ〜１４４ｃｍ程度あることが好ましい。
【００２６】
枕把持部３（３１）の奥行Ｄは、枕カバー１の開口５に枕１００を容易に挿入でき、装着作業中外れることがなく、かつ取り外す際に枕カバー１を強く引けば迅速に取り外せる程度の長さであることが好ましい。
これらの条件を満足するためには、枕把持部３（３１）の奥行Ｄは、枕１００の奥行ｄの１／８〜１／４程度必要となる。
枕把持部３（３１）の奥行Ｄ＝１／８〜１／４×枕１００の奥行ｄ          …（２）
例えば、枕１００の奥行ｄが４３ｃｍの場合、枕把持部３（３１）の奥行Ｄは５ｃｍ〜１１ｃｍ程度あればよい。
【００２７】
開口５の幅Ｗ１は、枕１００を挿入して確実に把持するため、少なくとも枕の幅ｗ以上必要となる。さらに枕１００の高さｈの１／２程度の幅を考慮することが好ましい。
枕の幅ｗ≦開口５の幅Ｗ１≦枕の幅ｗ＋１／２×枕１００の高さｈ          …（３）
したがって、開口５の幅Ｗ１は、例えば枕１００の幅ｗが６３ｃｍの場合、少なくとも６３ｃｍ以上必要となる。さらに枕１００の高さｈ１８ｃｍを考慮して、開口５の幅Ｗ１は７２ｃｍあることが好ましい。
【００２８】
布部２の幅Ｗ２は、枕把持部３（３１）の両横にそれぞれ張り出している箇所の長さである。布部２を枕１００の側面から底面方向に折り曲げて枕１００の側面を覆うことができ、かつ枕１００の両側面から折り曲げられた布部２同士が枕１００の底面側で重ならない程度の長さであることが好ましい。
これらの条件を満足するためには、布部２の幅Ｗ２は、枕１００の幅ｗの１／２未満であればよい。ただし、少なくとも枕１００の高さｈ以上の長さは必要である。
枕１００の高さｈ≦布部２の幅Ｗ２<１／２×枕１００の幅ｗ              …（４）
例えば枕１００の幅ｗが６３ｃｍ、布部２の幅Ｗ２は３１．５ｃｍ未満であればよい。ただし、枕１００の高さｈ１８ｃｍの場合、布部２の幅Ｗ２は１８ｃｍ以上必要となる。
【００２９】
最後に、枕カバー１の幅Ｗは、布部２の幅Ｗ２の２倍と開口５の幅Ｗ１との和で求められる。すなわち、枕１００の幅ｗの２倍未満であることが好ましい。
枕カバー１の幅Ｗ＝開口５の幅Ｗ１＋２×布部２の幅Ｗ２                  …（５）
枕カバー１の幅Ｗ≧枕１００の幅ｗ＋２×枕１００の高さｈ                …（６）
枕カバー１の幅Ｗ<２×枕１００の幅ｗ                                  …（７）
例えば枕１００の幅ｗが６３ｃｍ、枕カバー１の幅Ｗは１２６ｃｍ未満であることが好ましい。ただし、枕１００の高さｈ１８ｃｍを考慮した場合、枕カバー１の幅Ｗは、少なくとも９９ｃｍ以上必要となる。
【００３０】
なお、枕１００のサイズが奥行ｄ３５ｃｍ×幅ｗ５０ｃｍの場合、枕カバー１の長さＬは７７ｃｍ〜８８ｃｍ程度、枕把持部３（３１）の奥行Ｄは４ｃｍ〜９ｃｍ程度、開口５の幅Ｗ１は少なくとも５０ｃｍ、布部２の幅Ｗ２は２５ｃｍ未満、枕カバー１の幅Ｗは１００ｃｍ未満であればよい。
さらに、枕１００の高さｈ１８ｃｍを考慮して、枕カバー１の長さＬは１１３ｃｍ〜１２４ｃｍ程度、枕把持部３（３１）の奥行Ｄは４ｃｍ〜９ｃｍ程度、開口５の幅Ｗ１は５９ｃｍあることが好ましい。ただし、布部２の幅Ｗ２は１８ｃｍ以上、枕カバー１の幅Ｗは８６ｃｍ以上必要となる。
【００３１】
また、枕１００のサイズが奥行ｄ５０ｃｍ×幅ｗ７０ｃｍの場合、枕カバー１の長さＬは１１０ｃｍ〜１２５ｃｍ程度、枕把持部３（３１）の奥行Ｄは６ｃｍ〜１３ｃｍ程度、開口５の幅Ｗ１は少なくとも７０ｃｍ、布部２の幅Ｗ２は３５ｃｍ未満、枕カバー１の幅Ｗは１４０ｃｍ未満であればよい。
さらに、枕１００の高さｈ１８ｃｍを考慮して、枕カバー１の長さＬは１４６ｃｍ〜１６１ｃｍ程度、枕把持部３（３１）の奥行Ｄは６ｃｍ〜１３ｃｍ程度、開口５の幅Ｗ１は７９ｃｍあることが好ましい。ただし、布部２の幅Ｗ２は１８ｃｍ以上、枕カバー１の幅Ｗは１０６ｃｍ以上必要となる。
【００３２】
また、枕カバー１の素材は、吸湿性や素材の軽重を考慮して、例えば綿１００％やポリエステル／綿混紡の織物がよく、より好ましくは速乾性の観点から、例えば綿７０％／ポリエステル３０％〜綿５０％／ポリエステル５０％混紡の平織物がよい。
【００３３】
続いて、図１を用いて、本考案の実施例１に係る枕カバー１の製造方法について説明する。
まず、反物段階で、仕上がり幅Ｗに左右の耳部７の縫い代分を考慮した幅と、仕上がり長さＬに枕把持部３（３１）の奥行Ｄ、三巻ヘム部６及び枕把持部３（３１）側の縫い代分を考慮した長さを有した布部２を用意し、耳部７及び三巻ヘム部６の処理を施す。
【００３４】
具体的には、耳部７の処理は、布端のほつれ防止のため、例えば裁ち目かがり縫いや１ｃｍ程度の縫い代を設けた二つ折り縫製する。
三巻ヘム部６の処理は、端縁を１ｃｍ〜２ｃｍ程度三巻（三つ折り）し、辺に沿って縫着部４（４２）で縫着する。
なお、枕把持部３（３１）の端縁となるべき三巻ヘム部６の対辺も、耳部７と同様に、裁ち目かがり縫いや１ｃｍ程度の縫い代を設けて二つ折り縫製する。
【００３５】
つぎに、布部２の三巻ヘム部６の対辺中央部に幅Ｗ１を残し、その両側を幅Ｗ２×奥行Ｄの２倍ほど裁断する。そして左右の幅Ｗ２の端縁について、裁ち目かがり縫いや１ｃｍ程度の縫い代を設けた二つ折り縫製する。
【００３６】
さらに、中央部に残った幅Ｗ１の布部２を奥行Ｄだけ折返し、その両側縁を縫着部４（４１）で縫着して幅約Ｗ１×奥行約Ｄの開口５を有する枕把持部３（３１）を形成することにより、枕カバー１が完成する。なお、中央部に残った幅Ｗ１の布部２の両側縁は、ほつれ防止のため、事前に裁ち目かがり縫いや１ｃｍ程度の縫い代を設けた二つ折り縫製をしてもよい。
【００３７】
縫着部４（４１）は、例えば、残った中央部の布部２を奥行Ｄだけ折返す際に、残った中央部の布部２を上面側に折返し、布部２の上面から縫製することにより縫着しても良い（拡大図左）。また、残った中央部布部２を下面側に折返し、上面から縫製した後、下面側に形成された枕把持部３（３１）を裏返すことにより上面側に形成してもよい（拡大図右）。裏返すことにより、縫着部４（４１）が枕把持部３（３１）の内側に隠れ見栄えがよくなる。
【００３８】
次に、本考案の実施例１に係る枕カバー１の装着方法について説明する。
図２（Ａ）〜（Ｆ）に、本考案の実施例１に係る枕カバー１の装着手順例を示す。
図２（Ａ）〜（Ｃ）は、枕１００の奥行ｄが見える方向から枕カバー１を観た状態を示している。
図２（Ａ）は、枕カバー１の布部２を下にして枕把持部３（３１）の開口５に枕１００の一部を挿入し把持した状態である。
図２（Ａ）は、枕把持部３（３１）の奥行Ｄが枕１００の奥行ｄの１／４程度の例を示しており、枕１００の奥行ｄが４３ｃｍの場合、枕把持部３（３１）の奥行Ｄは１１ｃｍ程度である。このとき、三巻ヘム部６は布部２の下側に位置している。
【００３９】
図２（Ｂ）は、枕カバー１の布部２を、枕１００の奥行ｄ方向に上向きに折返した状態である。枕カバー１の布部２の裏面側が枕１００の表面を覆う表面となる。このとき、三巻ヘム部６は布部２の上側に位置している。
【００４０】
図２（Ｃ）は、枕カバー１の布部２を、さらに枕１００の奥行ｄ方向で底面側に折り返した状態である。枕１００の表面は枕カバー１で完全に覆われているが、枕１００の側面は露出している。
図２（Ｃ）は、枕カバー１の長さＬが枕１００の奥行ｄの２．２倍程度の例を示しており、枕１００の奥行ｄが４３ｃｍ、高さｈが１８ｃｍの場合、枕カバー１の長さＬは９５ｃｍ〜１３１ｃｍ程度である。このとき、三巻ヘム部６は布部２の下側に位置している。
【００４１】
図２（Ｄ）、（Ｅ）は、枕１００の幅ｗが見える方向から枕カバー１を観た状態を示している。
図２（Ｄ）は、見る方向は異なるが、図２（Ｃ）と同じ状態を示している。枕１００の両側面側に、枕１００の幅ｗより広い布部２がそれぞれ横に張り出しており、枕１００の側面は露出している。
【００４２】
図２（Ｅ）は、枕１００の両側面側にそれぞれ横に張り出している布部２を、枕１００の側面に沿って底面方向に折り曲げた状態である。これにより、枕カバー１の枕１００への装着手順は終了する。枕１００の両側面に沿って折り曲げられた布部２同士は底面側で重ならない程度に布部２の幅を調整してあるので、枕１００の中央下部に空隙が形成される。
【００４３】
図２（Ｆ）は、枕１００の使用時の状態を示している。図２（Ｆ）左側は枕１００の幅ｗが見える方向から枕カバー１を観た状態で、図２（Ｆ）右側は枕１００の奥行ｄが見える方向から枕カバー１を観た状態である。
枕１００は、未使用時には周辺から中央に従いなだらかに窪み、周辺の高さｈは８ｃｍ〜１８ｃｍである。枕１００は、弾力性に優れているため、使用時に頭部２００を支持する中央部の一番低い場所は、一般に、男性の場合２ｃｍ〜５ｃｍ、女性の場合１ｃｍ〜３ｃｍまで窪む。この際、図２（Ｅ）で形成された枕１００の中央下部の空隙に、図２（Ｆ）左側が示すように枕１００の中央部がより沈み込むことで、頭部（平面）２００の安定感が高まる。同時に、図２（Ｆ）右側が示すように、頭部（側面）２１０の直下にある三巻ヘム部６が枕１００に食い込むことで、枕カバー１のずれ防止の役割を果たす。
【００４４】
続いて、本考案の実施例１に係る枕カバー１による枕１００の高さ調節方法を説明する。
図３（Ａ）〜（Ｃ）に、本考案の実施例１に係る枕カバー１による枕の高さ調節例を示す。図３（Ａ）〜（Ｃ）は、枕１００の奥行ｄが見える方向から枕１００及び枕カバー１を観た状態を示している。
図３（Ａ）は、枕１００の奥行ｄの前後方向に押圧を加えることなく、枕カバー１を枕１００の表面に沿って装着させた場合を示している。図３（Ａ）左側は頭部２１１が紙面向かって左から右を向いて寝ている状態、図３（Ａ）右側は頭部２１２が右から左を向いて寝ている状態を表している。
図３（Ａ）では、枕１００の表面形状は、枕本来の平坦な状態になっている。したがって、頭部２１１（２１２）と枕１００との左右方向の向きが入れ替わっても、頭部２１１（２１２）は、ほぼ真上を向いている。
【００４５】
図３（Ｂ）は、布部２を黒矢印に示すように、枕１００の奥行ｄ方向にやや押圧を加えながら枕カバー１を枕１００に装着することにより、枕把持部３（３１）に挿入されていない側の枕１００が上に押し上げられるように変形している状態である。黒矢印に示すように、布部２を紙面向かって下から右側に引っ張り巻きつけることになるので、三巻ヘム部６は、図３（Ａ）のときより枕１００の底面側で向かって左側に位置する。枕把持部３（３１）に挿入されている枕１００の部分は、枕把持部３（３１）の形状以上には変形されないからである。
したがって、図３（Ｂ）左側では、頭部２１１の頭頂部側の枕１００が高くなる。図３（Ｂ）右側では、頭部２１２の首側の枕１００が高くなる。
【００４６】
図３（Ｃ）は、布部２を黒矢印に示すように、図３（Ｂ）よりさらに枕１００の奥行ｄ方向にやや押圧を加えながら枕カバー１を枕１００に装着することにより、枕把持部３（３１）に挿入されていない側の枕１００が上に押し上げられるように変形している状態である。布部２を紙面向かって下から右側に図３（Ｂ）の状態よりさらに引っ張り巻きつけることになるので、三巻ヘム部６は、図３（Ｂ）のときよりさらに枕１００の底面側で向かって左側に位置する。
したがって、図３（Ｃ）左側では、頭部２１１の頭頂部側の枕１００がさらに高くなる。図３（Ｃ）右側では、頭部２１２の首側の枕１００がさらに高くなる。
なお、図３（Ａ）〜（Ｃ）のいずれの場合でも、三巻ヘム部６は、枕１００の底面側に位置し、使用時に枕１００の底面側に食い込むことになるので、枕カバー１の枕１００への押圧の程度、すなわち巻きつける強さを保持するとともに、枕カバー１のずれ防止の役割を果たす。
【００４７】
このように、本考案の実施例１によれば、上記構成を採用することで、枕把持部３（３１）の開口５に、枕１００の一部を挿入して把持したうえ、略方形又は矩形状の布部２を枕１００の表面に沿って巻きつけることにより、枕１００の表面を容易かつ迅速に覆うことができる枕カバー１を提供することができる。
また、本考案の実施例１によれば、開口５より広い幅Ｗ２部分の布部２を枕の側面から底面方向に折り曲げることにより、枕１００の側面を容易かつ迅速に覆うことができる。
さらに、本考案の実施例１によれば、布部２の巻きつけ強さを変えることにより、枕の高さｈ調節を容易に行うことができる。
【実施例２】
【００４８】
次に、本考案の実施例２に係る枕カバーの構成例を説明する。
図４は、本考案の実施例２に係る枕カバーの構成例を示す図である。
なお、実施例２の枕カバーの基本的な構成及び機能は、実施例１と同一であるため、それらについての説明は省略する。
図４に示す枕カバー１は、枕把持部３（３２）を構成する底面側の布地が布部２と一体になっている点において、実施例１と構成の差異がある。
【００４９】
布部２の三巻ヘム部６の対辺中央部に幅Ｗ１を残し、その両側を幅Ｗ２×奥行Ｄほど裁断する。
そして、中央部に残った幅Ｗ１×奥行Ｄの布部２を裁断していない布部２の上面側に折返し、折り返した布地の両側縁を縫着部４（４１）で縫着して開口５を有する幅Ｗ１×奥行Ｄの枕把持部３（３２）を形成することにより、枕カバー１が完成する。
【００５０】
このように、本考案の実施例２によれば、上記構成を採用することで、裁断で無駄になる布地を減らし、構造が簡単で製造が容易な枕カバー１を提供することができる。
【実施例３】
【００５１】
次に、本考案の実施例３に係る枕カバーの構成例を説明する。
図５は、本考案の実施例３に係る枕カバーの構成例を示す図である。
なお、実施例３の枕カバーの基本的な構成及び機能は、実施例１及び２と同一であるため、それらについての説明は省略する。
図５に示す枕カバー１は、枕把持部３（３３）を構成する上面側の布地を裁断せずに布部２を奥行Ｄだけ折返している点、及び裁断せずに折り返された枕把持部３（３３）の両側の布地を縫着部４（４３）で縫着している点において、実施例２と構成の差異がある。
【００５２】
布部２の三巻ヘム部６の対辺全体を奥行Ｄほど布部２の上面側に折返し、中央部左右対称となるように幅約Ｗ１の間隔を空けて耳部７に沿って折り返した布地を縫着部４（４１）で縫着することにより、開口５を有する幅Ｗ１×奥行Ｄの枕把持部３（３３）を形成する。
また、幅約Ｗ１の枕把持部３（３３）の両隣りに裁断せずに残っている布地の端縁を対辺に沿ってそれぞれ縫着部４（４３）で縫着することにより、枕カバー１が完成する。
【００５３】
このように、本考案の実施例３によれば、上記構成を採用することで、裁断で無駄になる布地をなくし、構造がより簡単で製造が容易な枕カバー１を提供することができる。また、枕把持部３（３３）の開口５の両隣りの布地が幅Ｗ２に亘り縫製されていることから、丈夫で耐久性に優れている。
【実施例４】
【００５４】
次に、本考案の実施例４に係る枕カバーの構成例を説明する。
図６は、本考案の実施例４に係る枕カバーの構成例を示す図である。
なお、実施例５の枕カバーの基本的な構成及び機能は、実施例１乃至３と同一であるため、それらについての説明は省略する。
図６に示す枕カバー１は、枕把持部３（３４）を形成する縫着部４（４４）の縫製構造が異なる点において、実施例３と構成の差異がある。
【００５５】
布部２の三巻ヘム部６の対辺全体を奥行Ｄほど布部２の上面側に折返し、両耳部７の端縁から幅Ｗ２だけ布部２の内側まで対辺に沿ってそれぞれ縫着部４（４３）で縫着することにより、対辺中央部に開口５を有する幅Ｗ１×奥行Ｄの枕把持部３（３４）を形成する。
また、幅約Ｗ１の開口５の両端を耳部７に沿って奥行Ｄの途中まで縫着部４（４４）で縫着することにより、縫着部４（４３）が解けにくくなり、枕カバー１が完成する。
【００５６】
このように、本考案の実施例４によれば、上記構成を採用することで、縫着構造がより簡単で製造が容易であり、丈夫な枕カバー１を提供することができる。
【実施例５】
【００５７】
次に、本考案の実施例５に係る枕カバーの構成例を説明する。
図７は、本考案の実施例５に係る枕カバーの構成例を示す図である。
なお、実施例５の枕カバーの基本的な構成及び機能は、実施例１と同一であるため、それらについての説明は省略する。
図７に示す枕カバー１は、枕把持部３（３５）を構成する布地が布部２と異なる点、したがって枕把持部３（３５）が縫着部４（４５）により布部２と縫着されている点において、実施例１と構成の差異がある。
【００５８】
枕把持部３（３５）は、布部２と別体の布地で構成される。枕把持部３（３５）は、予め縫い代分を考慮して仕上がり幅Ｗ１×仕上がり奥行Ｄの２倍ほどの布地を奥行Ｄだけ折返し、その両側縁を縫着部４（４１）で縫着することにより、開口５を有し、幅Ｗ１×奥行Ｄのサイズで形成される。なお、枕把持部３（３５）の両側縁及び両端縁は、ほつれ防止のため、縫着部４（４１）での縫着に先立ち、裁ち目かがり縫いや１ｃｍ程度の縫い代を設けた二つ折り縫製をしてもよい。
また、枕把持部３（３５）を形成後に裏返して、縫着部４（４１）が枕把持部３（３５）の内側に隠れ見栄えをよくしても良い。
【００５９】
枕把持部３（３５）は、布部２の一辺中央部に左右対称で、枕把持部３（３５）の後端縁が布部２の三巻ヘム部６から長さＬの位置になるように枕把持部３（３５）の内側の縫着部４（４５）で布部２と縫着される。これにより、枕カバー１が完成する。
なお、布部２は単純な方形又は矩形状で済むため、枕カバー１の採寸や製造が容易である。また、上記条件が満たされれば、枕把持部３（３５）の奥行Ｄ及び布部２の長さに自由度ができ、枕把持部３（３５）を布部２に縫着する際に調整すればよい。さらに、布部２と枕把持部３（３５）との素材や色がそれぞれ異なっていてもよい。端切れの有効活用や好印象を与えるデザインも可能となる。
【００６０】
このように、本考案の実施例５によれば、上記構成を採用することで、製造が容易な枕カバー１を提供することができ、布部２と枕把持部３（３５）のサイズ、素材、色等の選択の幅を広げることが可能となる。
【００６１】
以上、本考案の枕カバーについて、具体的な実施の形態を示して説明したが、本考案はこれらに限定されるものではない。当業者であれば、本考案の要旨を逸脱しない範囲内において、上記各実施形態又は他の実施形態にかかる発明の構成及び機能に様々な変更・改良を加えることが可能である。
【００６２】
例えば、本考案の実施例３及び４によれば、枕把持部３（３３）又は枕把持部３（３４）の両隣りに裁断せずに残っている布地の四隅から対角線状に縫着したり、布地の四隅の内側を四角状に縫着したり、その両方を適用する構成としてもよい。枕把持部３（３３）又は枕把持部３（３４）の両隣りの布地がより確実に縫製されていることから、さらに丈夫で耐久性に優れた枕カバー１を提供することができる。
【００６３】
また、本考案の実施例によれば、枕カバー１の素材として、吸湿性や素材の軽重、速乾性の観点から綿や綿とポリエステル混紡の平織物がよいとしているが、肌触りの観点からパイル生地やガーゼ生地としてもよい。
【符号の説明】
【００６４】
１            枕カバー
２            布部
３（３１）    枕把持部
３（３２）    枕把持部
３（３３）    枕把持部
３（３４）    枕把持部
３（３５）    枕把持部
４（４１）    縫着部
４（４２）    縫着部
４（４３）    縫着部
４（４４）    縫着部
４（４５）    縫着部
５            開口
６            三巻ヘム部
７            耳部
１０１        枕カバー
１１１        枕カバー
１２１        枕カバー
１０２        布部
１１２        布部
１２２        布部
１０３        袋状部
１１３        袋状部
１２３        袋状部
１０５        開口
１１５        開口
１２５        開口
１８１        主留具
１８２        副留具
１８３        調整留具
１８４        止着留具
１００        枕
２００        頭部
２１０        頭部
２１１        頭部
２１２        頭部
【図１】
0003221492.tif 000003
【図２】
0003221492.tif 000004
【図３】
0003221492.tif 000005
【図４】
0003221492.tif 000006
【図５】
0003221492.tif 000007
【図６】
0003221492.tif 000008
【図７】
0003221492.tif 000009
【図８】
0003221492.tif 000010
【図９】
0003221492.tif 000011
【図１０】
0003221492.tif 000012